【事件の表示】
　特許第３１５５１８７号「遮水シート表面の緑化構造」の請求項１ないし３に係る特許に対する特許異議の申立てについて、次のとおり決定する。
【結　論】
　訂正を認める。
　特許第３１５５１８７号の請求項１ないし２に係る特許を取り消す。
【理　由】
第１．手続きの経緯
　本件特許第３１５５１８７号発明は、平成７年１２月２８日に特許出願され、平成１３年２月２日にその特許の設定登録がなされ、その後、徳田譲二より特許異議の申立てがなされ、取消理由通知がなされ、その指定期間内である平成１４年３月１８日に意見書及び訂正請求書が提出されたものである。
　
第２．訂正の適否についての判断
１．訂正の内容
　本件訂正請求は、本件特許明細書を訂正請求書に添付した訂正明細書のとおりに訂正することを求めるものであり、その訂正の内容は次のとおりである。
ａ．特許請求の範囲【請求項１】に「ヘチマ構造からなる網状マット」とあるのを、「ヘチマ構造からなり植生基盤の造成に有効な厚さを備える網状マット」と訂正する。
ｂ．特許請求の範囲【請求項１】に「とからなることを特徴とする遮水シート表面の緑化構造」とあるのを、「とからなる遮水シート表面の緑化構造であって、前記植物種子を含む緑化基材が、前記遮水シートの表面に向けて当該緑化基材を吹き付けることにより堆積保持されることを特徴とする遮水シート表面の緑化構造」と訂正する。
ｃ．特許請求の範囲【請求項２】を「前記遮水シートの表面に熱溶着された網状マットには、水分や養分供給用の供給パイプが延長配設されていることを特徴とする請求項１に記載の遮水シート表面の緑化構造。」と訂正する。
ｄ．特許請求の範囲【請求項３】を削除する。
ｅ．明細書の【０００８】に「ヘチマ構造からなる網状マット」とあるのを、「ヘチマ構造からなり植生基盤の造成に有効な厚さを備える網状マット」と訂正する。
ｆ．明細書の【０００８】に「とからなることを特徴とする遮水シート表面の緑化構造」とあるのを、「とからなる速水シート表面の緑化構造であって、前記植物種子を含む緑化基材が、前記遮水シートの表面に向けて当該緑化基材を吹き付けることにより堆積保持されることを特徴とする遮水シート表面の緑化構造」と訂正する。
ｇ．明細書の【００２４】に「植性基盤」とあるのを、「植生基盤」と訂正する。
ｈ．明細書の【００２６】に「植性基盤」とあるのを、「植生基盤」と訂正する。
　
２．訂正の目的の適否、新規事項の有無及び拡張・変更の存否
　上記訂正事項について検討すると、訂正事項ａは、特許明細書の【請求項１】に記載された「ヘチマ構造からなる網状マット」を、当初明細書の【００１０】に記載の「また、上記網状マットは・・・植生基盤の造成に有効な厚さを十分に確保できるような厚を備えるように形成されるものである。」に基づいて限定するものであり、訂正事項ｂは、特許明細書の【請求項２】に記載された特定事項を【請求項１】に取り入れ、「緑化構造」を限定しようとするものであるから、特許請求の範囲の減縮を目的とするものである。
　訂正事項ｃは、訂正事項ｂにより特許請求の範囲【請求項２】を【請求項１】に取り入れたことに伴なって、特許請求の範囲【請求項３】を繰り上げて新たな【請求項２】とするものであるから、明りょうでない記載の釈明を目的とするものである。
　訂正事項ｄは、特許明細書の特許請求の範囲【請求項３】を削除するものであるから、特許請求の範囲の減縮を目的とするものである。
  訂正事項ｅ，ｆは、訂正事項ａ，ｂにより訂正しようとする特許請求の範囲の記載に、特許明細書の【０００８】の記載を整合させる訂正であるから、明りょうでない記載の釈明を目的とするものである。
　訂正事項ｇ，ｈは、特許明細書の【００２４】、【００２６】に「植性基盤」とある「性」の字を、特許明細書の【００１０】等に記載されている「植生基盤」のように「生」と訂正するものであり、誤記の訂正を目的とするものである。
　そして、上記訂正事項ａないしｆは、願書に添付した明細書又は図面に記載した事項の範囲内の訂正であり、訂正事項ｇ、ｈは願書に最初に添付した明細書又は図面に記載した事項の範囲内の訂正であり、かつ、いずれも実質上特許請求の範囲を拡張し又は変更するものでもない。
　
３．むすび
　以上のとおりであるから、上記訂正請求は、特許法第１２０条の４第２項に規定する訂正の目的を満たすものであり、かつ同条第３項で準用する第１２６条第２、３項の規定に適合する。
　よって、本件訂正請求のとおりの訂正を認める。
　
第３．特許異議申立についての判断
１．異議申立て及び、取消理由の概要
　異議申立人は、証拠として甲第１号証乃至甲第４号証を提出し、本件請求項１、２、３に係る発明は甲第１号証、甲第２号証、甲第３号証、甲第４号証に記載された発明に基いて当業者が容易に発明することができたものであるから、特許法第２９条第２項の規定により特許を受けることができないものであり、本件特許は取り消されるべきものである旨主張している。
  当審で通知した取消理由の概要は、本件請求項１〜３に係る発明は本件出願前に頒布された刊行物１〜４（甲第１〜４号証）に記載された発明に基づいて当業者が容易に発明することができたものであるから、特許法第２９条第２項の規定により特許をうけることができないものであり、本件特許は取り消されるべきものであるというものである。
　
２．本件発明
　上記第２に示したとおり、本件に係る訂正が認められるから、本件の請求項に係る発明は、上記訂正請求書に添付した訂正明細書の特許請求の範囲に記載された事項により特定される次のとおりのものである。
【請求項１】斜面部分に敷設される遮水シートの表面を緑化するための緑化構造であって、前記遮水シートの表面に熱溶着された、多数の線条が不規則な多数のループをなして絡み合うヘチマ構造からなり植生基盤の造成に有効な厚さを備える網状マットと、該網状マットを介して前記遮水シートの表面に堆積保持される、植物種子を含む緑化基材とからなる遮水シート表面の緑化構造であって、前記植物種子を含む緑化基材が、前記遮水シートの表面に向けて当該緑化基材を吹き付けることにより堆積保持されることを特徴とする遮水シート表面の緑化構造。
（以下「本件発明１」という）
【請求項２】前記遮水シートの表面に熱溶着された網状マットには、水分や養分供給用の供給パイプが延長配設されていることを特徴とする請求項１に記載の遮水シート表面の緑化構造。（以下「本件発明２」という）
　
３．取消理由通知において引用した刊行物の記載事項
（１）刊行物１〔特開平７−１０９７３７号公報〕には、次の事項が記載されている。
ａ．「遮水シートを覆って敷設される保護層からなる遮水シートの保護構造において、前記保護層が、遮水シートの表面に吹き付けられた、植物種子と緑化基材とを含む植生のための人工土壌からなることを特徴とする遮水シートの保護構造。」（【特許請求の範囲】）
ｂ．「植物種子と緑化基材とを含む植生のための人工土壌とは、植生工のうち土壌成分の少ない地盤の法面保護工として採用されている厚層基材吹付工に使用する人工土壌をいい、この人工土壌は、砂質土を主成分とし、植物種子と緑化基材とを含むものである。」（段落【0009】）
ｃ．「上記人工土壌に含まれる緑化基材は、例えば、土壌化促進に必要な有機質セルロースを主成分として、有機・無機保水材、土壌改良材を混入するとともに、人工土壌のせん断強度及び付着性を高めるためにさらに繊維補強材及び粘着材を添加したものを用いることができる。」（段落【0014】）
ｄ．「この実施例にかかる遮水シートの保護構造は、特に急斜面に敷設された遮水シート１０を保護するための保護層１２′によって構成されるものである。すなわち、保護層１２′は植物種子と緑化基材とを含む植生のための人工土壌からなり、かかる人工土壌の遮水シート１０への付着性により、急斜面であっても滑り落ちることのない保護層１２′を形成するものである。」（段落【0020】）
ｅ．「ここで、上記植生のための人工土壌により保護層１２′を形成するには、例えば・・・必要に応じて、補強用の金網１３を遮水シート１０の表面に設置し、しかる後にモルタルガン等の装置を用いて上記人工土壌を例えば３〜１０cmの厚さに吹き付けることにより、容易に遮水シート１０の表面に保護層１２′を形成することができる。」（段落【0021】）
ｆ．「植物種子と緑化基材とを含む人工土壌を吹き付けてなる遮水シートの保護構造によれば、人工土壌は所定時間の経過後に緑化した植生を形成し、廃棄物の投棄後にあっては廃棄物と遮水シート１０との間に介在して廃棄物が遮水シート１０に直接接触することを回避するとともに、廃棄物による埋設前にあっては遮水シート１０が風雨に晒されることを防止して、遮水シート１０の機能を長期間維持することができる。また、地表面に表出した状態におかれている場合であっても保護層を覆って形成された植生により景観を保持することができる。」（段落【0022】）
ｇ．「この発明の遮水シートの保護構造によれば、遮水シートを覆う保護層が、遮水シートの表面に吹き付けられた、植物種子と緑化基材を含む植生のための人工土壌からなるので、当該人工土壌を遮水シートの表面に沿って直接吹き付けることにより、当該人工土壌が付着性に富むことにより、急斜面や凹凸面に設置した遮水シートを覆う保護層を容易に形成することができるとともに所定厚さの保護層を確実に形成することができる。」（段落【0026】）　　　　　
（２）刊行物２〔実願平１−９５２９０号（実開平３−３６０２９号）のマイクロフィルム〕には、次の事項が記載されている。
ｈ．「遮水性の合成樹脂シートの片面・・・に、熱可塑性合成樹脂線条で形成された立体網状構造体を接合しシートと一体化してなる遮水材」（実用新案登録請求の範囲）
ｉ．「［従来の技術］貯水池等の法面に遮水シートを施工する場合、シートの曝露劣化、破れの防止のため、あるいは芝等の植生をするため、シート上に覆土することが行われる。」（1頁13〜17行）
ｊ．「［考案の目的］本考案は法面への施工が容易で覆土保持が良好な遮水材を提供しようとするものである。」（2頁1〜3行）
ｋ．「立体網状構造体としては、熱可塑性合成樹脂線条を捲、摺曲させその相互接点を溶融接着させたものが好適に用いられる。このような構造体は例えば・・・に記載されており、製造法の例としては例えば特公昭５０?３９１８５に記載されている。・・構造体の空隙率は例えば８０〜９５％程度とすればよく、厚みは例えば２０〜１００ｍｍ程度とすればよい。」（3頁1〜14行）
ｌ．「遮水シートと立体網状構造体との接合は第１図に示すように線条とフィルムの接触部を溶融接合するのが強度的に有利である」（3頁20行〜4頁2行）
ｍ．第１図には、「立体網状構造体1」と「遮水シート2」とを「溶融接合部3」で一体化してなる遮水材が記載されている（４．図面の簡単な説明参照）。
（３）刊行物３〔特公昭５０−３９１８５号公報〕は、刊行物２で「立体網状構造体」の製造法を示すものとしてが例示された刊行物であり、立体網状集合体の製造法に関して、「繊維径０．５〜０．７ｍｍの繊維よりなるヘチマの繊維組織状の合成繊維の立体網状集合体を・・・得る。」（1頁2欄35〜36行）と記載されている。
（４）刊行物４〔特開平７−８７８５７号公報〕には、次の事項が記載されている。
ｏ．「図１において、Ａは灌漑及び汚水処理の対象地であって、その地中に地中マットＭが布設されている。地中マットＭは、図２に示すように、不透水シート1と給水管２と固定枠３と充填材４と不織布５から構成されている。上記不透水性シートはフレキシブルで地中での耐久性に優れた防水シートであって、地中マットMの底面および両側面（端面を含む）を囲むように敷設されている。上記給水管２は、微小かつ均質な孔を有し、管内から管外への通水および通気能力が低いフレキシブルな多孔質の管体である。」（段落【0010】〜【0012】）
ｐ．「６は配水管であって、水源部７の水・・・を上記給水管２に供給する。該源部７には、水の他に、液肥や温冷水を入れる。液肥は作物等の植物の種類や栽培育成目的に応じて選択する。」（段落【0016】）
ｑ．「給水管２に供給された水は、該給水管２の微小孔から充填材４内を少しずつ滲出する。充填材4内に滲出した水は、さらに、図３に示すように、不織布5を透過して周囲の土壌中に浸潤する。土壌中に浸潤した水は植物Ｐの根に吸収される。このようにして、地中灌漑が行われる。」（段落【0019】）
ｒ．「給水管２は管内から管外への透水能が小さいので、給水管２の距離が長く、ある程度勾配があっても、管内水圧の損失水頭が少なく、水の浸出量は給水管２のどの部分でもほぼ等しくなり、地中マットＭの全域にわたり同量の水を万遍なく供給することができる。従って、傾斜地における地中灌漑が可能である。」
ｓ．「実施例の地中マットＭは、充填材４を除いて一体構造とし、あらかじめ布設現場以外の場所で製作しておき、対象地内に布設する。」（段落【0025】）
ｔ．「２）地中灌漑方式であるため、灌水した水が直接大気中に蒸発する恐れがなく、地表からの灌漑に比べて水の使用量が少なくて済む。また、地中マットに不透水シートを使用しているので、水の下方浸透を抑制し、土壌の保水性を高めることができる。従って、節水灌漑が可能となる。」（段落【0025】）　
　
４．本件発明と刊行物に記載された発明との対比・判断
［本件発明１について］
（１）本件発明１と刊行物１に記載された発明とを対比すると、
　刊行物１に記載された発明の「急斜面に敷設される遮水シート10」及び「植物種子と緑化基材とを含む植生のための人工土壌」は、本件発明１の「斜面部分に敷設される遮水シート」及び「植物種子を含む緑化基材」に相当する。
　また、刊行物１に記載された発明の「保護構造」は、遮水シートの表面を覆って敷設され、所定時間の経過後に緑化した植生を形成するものであるから、本件発明１の「緑化構造」に相当し、
　さらに、刊行物１に記載された発明の「遮水シートの表面に設置した補強用の金網13」は、緑化基材の付着・堆積保持部材として作用するものであるから、両者は、
「斜面部分に敷設される遮水シートの表面を緑化するための緑化構造であって、前記遮水シートの表面に設置した緑化基材の付着・堆積保持部材と、該付着・堆積保持部材を介して前記遮水シートの表面に堆積保持される、植物種子を含む緑化基材とからなる遮水シート表面の緑化構造であって、前記植物種子を含む緑化基材が、前記遮水シートの表面に向けて当該緑化基材を吹き付けることにより堆積保持される遮水シート表面の緑化構造。」
の点で一致し、以下の点で相違する。
（相違点１）
　遮水シートの表面に設置した緑化基材の付着・堆積保持部材が、本件発明１においては「遮水シートの表面に熱溶着された、多数の線条が不規則な多数のループをなして絡み合うヘチマ構造からなり、植生基盤の造成に有効な厚さを備える網状マット」であるのに対して、刊行物１に記載された発明では、「補強用の金網13」であり、それが具体的に、どのような構造のものであって、遮水シートの表面にどのように設置されているのか定かでない点。
（２）上記相違点１について検討すると、
　刊行物２には、「遮水性の合成樹脂シートの片面に、熱可塑性合成樹脂線条で形成された立体網状構造体を接合しシートと一体化してなる遮水材」が記載され、該「立体網状構造体」は、刊行物２で引用されている刊行物３の製造法により製造されたヘチマ繊維組織構造のものを含むものであり、さらに該遮水材は、法面への施工が容易で芝等の植生をするためのシート上の覆土を保持する機能を有することが記載されているから（上記３．（２）ｉ、ｊ、（３）参照）、刊行物２には、「遮水シートの表面に熱溶着された、多数の線条が不規則な多数のループをなして絡み合うヘチマ構造からなる網状マット」を緑化基材の付着・堆積保持部材とすることが示されている。
　ところで本件発明１において、「網状マット」は「植生基盤の造成に有効な厚さを備える」ものとされている。ここで「植生基盤」について、本件訂正明細書には、「この実施例の緑化構造１２は、・・・網状マット１４と、・・・植物種子を含む緑化基材としての厚層基材１５とによって構成されている。」（段落【0018】）、「吹き付けられた厚層基材１５は、・・・法面１３の遮水シート１１に強固に付着堆積し、これによって、厚層基材１５による、網状マット１４の厚さに応じた所望の厚さの安定した植生基盤が、遮水シート１１の表面に造成されることになる。」（段落【0024】）と記載され、これらの記載によれば、「植生基盤」とは、緑化基材を付着堆積させたものと解され、「植生基盤の造成に有効な厚さを備える」とは、緑化基材を付着堆積することができる厚さであることを意味すると解される。そして、本件訂正明細書には、網状マットの厚さとして具体的には「厚さ２〜１０ｃｍ程度のマット状のヘチマ構造」（段落【0020】）と記載されているところ、刊行物２には「立体網状構造体」は緑化基材を付着堆積することができるものであり、「厚みは例えば２０〜１００ｍｍ程度」と記載されており（上記３．（２）ｋ参照）、刊行物２記載の「立体網状構造体」も「植生基盤の造成に有効な厚さを備える」ものであることは明らかである。
　そして、刊行物１記載の発明において、遮水シートの表面に緑化基材を堆積保持させるために、遮水シートの表面に補強金網を設置するのに代えて、施工が容易で覆土保持が良好な、刊行物２に記載された、「遮水シートの表面にヘチマ構造からなる網状体を熱融着した遮水材」を敷設し、本件発明１における上記相違点１に係る事項とすることは、当業者が容易に想到し得たものと認める。
（３）また、本件発明１に係る事項によって奏し得る効果も、刊行物１に記載された発明及び刊行物２、３に記載された技術から普通に予測できる程度のものであって格別なものとは認められないから、本件発明１は、その出願前に頒布された刊行物１に記載された発明及び刊行物２、３に記載された技術に基いて、当業者が容易に発明をすることができたものと認める。
　
［本件発明２について］
（１）本件発明２は、本件発明１を引用し、本件発明１の「遮水シートの表面に熱溶着された網状マット」について、「水分や養分供給用の供給パイプが延長配設されている」との事項を付加したものであり、刊行物１記載の発明と比較すると、上記相違点１の他に、次の点で相違する。
（相違点２）
　本件発明２は、遮水シートの表面に熱溶着された網状マットには、水分や養分供給用の供給パイプが延長配設されているのに対し、刊行物１記載の発明はそのようなパイプが設けられていない点。
（２）上記相違点２について検討すると、一般に植物を育成させるには、水や養分の供給が不可欠であり、水や養分を安定して供給するために灌漑手段を設けることは常套手段である。
　一方、刊行物４には、上記３．（４）に記載したように、不透水シート1内の土壌改良資材などの充填材4の内部に、水や液肥の供給用の給水管2を延長配設した、地中灌漑用の地中マットＭが記載されており、不透水シートにより水の下方浸透を抑制し節水灌漑が可能なこと、水を給水管2の微小孔から充填材4内に少しずつ滲出させるもので、傾斜地での利用が可能なこと、給水管を不透水シートと一体に構成することにより、施工が容易になされることが示されている。
　そして、上記［本件発明１について］で述べた、刊行物１に記載された発明に、刊行物２及び刊行物３に記載の発明と適用することにより容易に想到することができる緑化基盤において、水や養分を安定して供給するために、傾斜地での利用が可能で、不透水シートとの併用により節水灌漑が可能なことが示されている、刊行物４に記載された技術を適用し、遮水シートの表面に熱溶着された網状マットに水分や養分供給用の供給パイプを配設し、本件発明２の相違点２の事項とすることは当業者が容易に想到し得たものと認める。
　また、本件発明２に係る事項によって奏し得る効果も、刊行物１に記載された発明及び刊行物２〜４に記載された技術から普通に予測できる程度のものであって格別なものとは認められないから、本件発明２は、その出願前に頒布された刊行物１に記載された発明及び刊行物２〜４に記載された技術から、当業者が容易に発明をすることができたものと認める。
　
第４．むすび
　以上のとおり、本件発明１、２は、その出願前日本国内において頒布された上記刊行物１に記載された発明及び刊行物２〜３にに記載された技術に基づいて、その発明の属する技術の分野における通常の知識を有するものが容易に発明をすることができたものであるから、特許法第２９条第２項の規定により特許を受けることができない。
　したがって、本件発明１、２についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月１７日（２００２．４．１７）
【訂正の要旨】
　ａ．特許請求の範囲【請求項１】に「ヘチマ構造からなる網状マット」とあるのを、「ヘチマ構造からなり植生基盤の造成に有効な厚さを備える網状マット」と訂正する。
　ｂ．特許請求の範囲【請求項１】に「とからなることを特徴とする遮水シート表面の緑化構造」とあるのを、「とからなる遮水シート表面の緑化構造であって、前記植物種子を含む緑化基材が、前記遮水シートの表面に向けて当該緑化基材を吹き付けることにより堆積保持されることを特徴とする遮水シート表面の緑化構造」と訂正する。
　ｃ．特許請求の範囲【請求項２】を、「前記遮水シートの表面に熱溶着された網状マットには、水分や養分供給用の供給パイプが延長配設されていることを特徴とする請求項１に記載の遮水シート表面の緑化構造。」と訂正する。
　ｄ．特許請求の範囲【請求項３】を、削除する。
　ｅ．明細書の【０００８】に「ヘチマ構造からなる網状マット」とあるのを、「ヘチマ構造からなり植生基盤の造成に有効な厚さを備える網状マット」と訂正する。
　ｆ．明細書の【０００８】に「とからなることを特徴とする遮水シート表面の緑化構造」とあるのを、「とからなる遮水シート表面の緑化構造であって、前記植物種子を含む緑化基材が、前記遮水シートの表面に向けて当該緑化基材を吹き付けることにより堆積保持されることを特徴とする遮水シート表面の緑化構造」と訂正する。
　ｇ．明細書の【００２４】に「植性基盤」とあるのを、「植生基盤」と訂正する。
　ｈ．明細書の【００２６】に「植性基盤」とあるのを、「植生基盤」と訂正する。
（５４）【発明の名称】
遮水シート表面の緑化構造
（５７）【特許請求の範囲】
　【請求項１】　斜面部分に敷設される遮水シートの表面を緑化するための緑化構造であって、前記遮水シートの表面に熱溶着された、多数の線条が不規則な多数のループをなして絡み合うヘチマ構造からな
り植生基盤の造成に有効な厚さを備え
であって、
　
前記植物種子を含む緑化基材が、前記遮水シートの表面に向けて当該緑化基材を吹き付けることにより堆積保持される
　【請求項
２
１に
【発明の詳細な説明】
　【０００１】
　【発明の属する技術分野】
　この発明は、遮水シート表面の緑化構造に関し、特に、斜面部分に敷設される遮水シートの表面を緑化するための遮水シート表面の緑化構造に関する。
　【０００２】
　【従来の技術】
　産業廃棄物や一般廃棄物を投棄する例えば埋立形の廃棄物処分場は、自然の地形を利用したり地盤を掘削して造成された凹状の地盤の内部に、廃棄物を埋め立て貯留してゆくものであるが、埋め立てた廃棄物から浸出する汚水の地下浸透による環境汚染を防止するために、処分場の底面および斜面（全面）に予め遮水工を実施することが義務付けられている。かかる遮水工としては、従来より、経済性や遮水性の面から、例えば軟質の合成樹脂系あるいはゴム系の遮水シートを敷設する方法が採用されている。また、ゴルフ場のウォーターハザード、簡易貯水池、溜池等の凹所に水を貯留する施設の底面にもまた、貯留水等の漏出を防止すべく、廃棄物処分場と同様に遮水シートが敷設される場合がある。
　【０００３】
　そして、これらの遮水シートは、通常、これらの施設の内部に廃棄物や貯留水等が投棄されたり貯留される前に、凹状の地盤ないしは凹所の底面の略全域にわたって敷設施工されることになる。
　【０００４】
　【発明が解決しようとする課題】
　しかしながら、上記廃棄物処分場や貯留水の貯留施設などに敷設される遮水シートによれば、例えばこれらの凹状の地盤等を周囲の地盤にすり付けるための斜面部分に位置する遮水シートは、堆積あるいは貯留される廃棄物や貯留水によって覆われることになるまでの間、長期間風雨等に晒されることになり、特に斜面部分の上端に位置する部分にあっては、廃棄物や貯留水等によって覆われることが少なく、その表面がむき出しになったままの状態となることも多い。
　【０００５】
　したがって、このようにして斜面部分に敷設される遮水シートは、長期間むき出しで晒された状態になることにより、太陽光による熱や紫外線、あるいは気温の変化による伸び縮み、又は烏や投棄される廃棄物等との接触などの外的作用を受けて劣化が激しくなり、損傷しやすくなるという問題があった。
　【０００６】
　このような、弊害に対処するために、かかる遮水シートを保護砂や保護シート等で覆う方法も考えられるが、斜面部分において保護砂を堆積保持しておくことは難しく、また、保護シートや保護マットで覆う方法によれば、保守管理に手間がかかるとともに、景観を損なうおそれがあるという課題があった。
　【０００７】
　そこで、この発明は、上記課題に着目してなされたもので、斜面部分の遮水シートを安定した状態で覆うことにより、外的作用による遮水シートの劣化や損傷を効果的に防止することができるとともに、景観にも優れた遮水シート表面の緑化構造を提供することを目的とするものである。
　【０００８】
　【課題を解決するための手段】
　この発明は、上記目的を達成するためになされたもので、その要旨は、斜面部分に敷設される遮水シートの表面を緑化するための緑化構造であって、前記遮水シートの表面に熱溶着された、多数の線条が不規則な多数のループをなして絡み合うヘチマ構造からな
り植生基盤の造成に有効な厚さを備え
であって、前記植物種子を含む緑化基材が、前記遮水シートの表面に向けて当該緑化基材を吹き付けることにより堆積保持される
　【０００９】
　ここで、上記遮水シートは、例えば軟質又は硬質の合成樹脂系あるいはゴム系のシート部材を使用することができるが、その表面に植物種子を含む緑化基材を堆積保持した場合に、これの重量及び生育した植生の重量に十分耐え得るような引っ張り強度を備えるものを使用する。
　【００１０】
　また、上記網状マットは、例えば耐食性に優れた金属製や樹脂製の多数の連続線条により構成され、この連続線条の太さや強度、目付等を調整することにより、所望の圧縮強度や空隙率、あるいは植生基盤の造成に有効な厚さを十分に確保できるような厚を備えるように形成されるものである。また、当該網状マットを介して堆積保持される緑化基材により潰されることなく、緑化基材を付着堆積させて植生基盤とすることができるような空隙や凹凸を、遮水シートの表面に表出するように形成されるものである。
　【００１１】
　さらに、この網状マットの遮水シートへの熱溶着は、堆積保持される緑化基材の重量及び生育した植生の重量により、網状マットが遮水シートから剥離しない程度の強度で網状マットが遮水シートへ接着していることをいい、工場において熱融着等により予め網状マットを固着して製造した遮水シートを使用して、これを斜面部分に敷設したり、網状マットを熱溶着して別途製造したシート片を、敷設した遮水シートに対して接着剤等を用いて接着固定すること等によっても、斜面部分の遮水シートに網状マットを容易に固着状態とすることができる。
　【００１２】
　さらにまた、上記植物種子を含む緑化基材は、土や泥炭等からなる生育基盤材と、これに内含される植物種子とからなり、必要に応じて各種の肥料や、セメント、高分子系樹脂等の接合剤を加えたもので、いわゆる植生材料や、厚層基材等と呼ばれる、植生基盤を構成することのできる種々の材料を用いることができる。なお、生育基盤材に含まれる植物種子としては、例えば稲科植物や豆科植物等の植生工に用いられている種々の植物種子を採用することができる。
　【００１３】
　そして、この発明によれば、緑化基材は、例えば土羽打ち等により、網状マットを介して遮水シートの表面に堆積保持することもできるが、吹き付けガンや吹き付けポンプ等を用いて行われる、遮水シートの表面に向けての吹き付け作業によって堆積保持するようにすることが好ましい。
　【００１４】
　また、この発明は、前記遮水シートの表面に熱溶着された網状マットに、水分や養分供給用の供給パイプを延長配設しておくことが好ましい。
　【００１５】
　そして、この発明の遮水シート表面の緑化構造によれば、遮水シートの表面に熱溶着された網状マットを介して緑化基材が付着することにより、十分な厚さの安定した植生基盤が造成されることになり、生育した植生とともに、斜面部分の遮水シートを、太陽光による熱や紫外線、あるいは気温の変化、又は烏や投棄される廃棄物等との接触などの外的作用から保護するとともに、生育した植生による表面の緑化によって、景観を損なうこともない。
　【００１６】
　また、植物種子を含む緑化基材は、吹き付け作業によって遮水シートの表面に容易に堆積保持することができ、さらに、遮水シートの表面に固着された網状マットに水分や養分供給用の供給パイプを延長配設しておけば、これを介して植生基盤に水分や養分を補給することによって、手間のかかる維持管理を行うことなく長期的な緑化を容易に図ることもできる。
　【００１７】
　【発明の実施の形態】
　次に、この発明の好ましい実施の形態すなわち一実施例について、添付図面を参照しつつ詳細に説明する。図１は、この発明の遮水シート表面の緑化構造を採用した埋立型の廃棄物処分場１０を示す破断略示断面図である。すなわち、この廃棄物処分場１０は、例えば山間部等における広大な敷地を凹状に掘削形成してなるもので、その凹部底面には、遮水シート１１を敷設して、廃棄物処分場１０に投棄した廃棄物３０から浸出する汚水等が処分場１０から漏出して周囲の地盤に拡散しないようにするための遮水工が施されている。
　【００１８】
　そして、この実施例の遮水シート表面の緑化構造１２は、廃棄物処分場１０の周辺部分に位置する、凹状の処分場１０を周囲の地盤にすり付けるための、斜面部分としての法面１３を覆うべく敷設された遮水シート１１に対し、特に、これの上部に位置して未だ廃棄物３０により覆われることなく、長期間風雨等に晒されることになる可能性のある部分に対して設けられるものである。すなわち、この実施例の緑化構造１２は、法面１３に位置する遮水シート１１の表面に熱溶着された、多数の連続線条が不規則な多数のループをなして絡み合うヘチマ構造からなる網状マット１４と、この網状マット１４を介して遮水シート１１の表面に堆積保持される、植物種子を含む緑化基材としての厚層基材１５とによって構成されている。
　【００１９】
　ここで、法面１３を覆って敷設される遮水シート１１は、例えば軟質の合成樹脂系あるいはゴム系のシート部材からなり、幅２〜８ｍ程度の運搬や施工に適した大きさのものを、砂質土やモルタル、織布等の下地材１８により下地処理された法面１３上に敷設した後、熱溶着などによって縦横に接合一体化されることにより法面１３の全体を水密に覆うものである。なお、かかる遮水シート１１や下地材１８は、処分場１０の底面部分まで延長敷設されて、廃棄物処分場１０の底面全域を覆うようにして施工されるものである。
　【００２０】
　また、遮水シート１１の表面に固着される網状マット１４は、図２及び図３に示すように、例えば太さ０．５ｍｍ以上の耐食性に優れた樹脂製の多数の連続線条により構成され、この多数の連続樹脂線条が不規則な多数のループをなして絡み合う、厚さ２〜１０ｃｍ程度のマット状のヘチマ構造からなるもので、この樹脂線状が溶融状態から固化して強度を発揮し、所望の圧縮強度及び５０％程度の空隙率を有するとともに、堆積保持される厚層基材１５の重量に抵抗して当該ヘチマ状の形状を保持することのできる程度の剛性を備えている。
　【００２１】
　そして、この網状マット１４は、工場において、予め網状マット１４を熱溶着して製造した遮水シート１１を用いて、これを法面１３に敷設してゆくようにしても良い。
　【００２２】
　また、この実施例の遮水シート表面の緑化構造１２は、網状マット１４の内部に、遮水シート１１の表面に沿って延長する供給パイプ１６が、周囲を不織布等からなる保護材１７により覆われた状態で、法面１３の傾斜方向に所定間隔をおいて複数配設されている。したがって、この実施例によれば、必要に応じて水分や養分をこの供給パイプ１６に給送し、外周面に設けた供給孔等から、これらの水分や養分を植生基盤を構成する厚層基材１５に適宜補給することができるようになっている。
　【００２３】
　一方、遮水シート１１の表面に堆積保持される厚層基材１５によって構成される植生基盤は、かかる厚層基材１５を法面１３の遮水シート１１に吹き付けることにより、容易に造成することができる。すなわち、図４に示すように、かかる吹き付け作業は、例えば、植生用の植物種子２０と、化学肥料やｐＨ緩衝剤等の肥料類２１と、普通ポルトランドセメントや高分子系樹脂等の接合剤２２と、土や泥炭等の生育基盤材２３とを、混合装置２４において、水タンク２５から送られる水とともに混合して、スラリー化した厚層基材１５を製造し、これを空気圧縮機２６からの圧送力により圧送ホースを介して法面１３まで給送した後、吹付けノズル１９から、網状マット１４が設置された遮水シート１１に向かって吹き付けることにより行なわれる。
　【００２４】
　ここで、吹き付けられた厚層基材１５は、その粘着力等により、ヘチマ状の網状マット１４を構成する多数のループを巻き込むようにして法面１３の遮水シート１１に強固に付着堆積し、これによって、厚層基材１５による、網状マット１４の厚さに応じた所望の厚さの安定した植
生
　【００２５】
　そして、このようにして形成された緑化構造１２によって覆われる、法面１３に敷設された遮水シート１１は、この緑化構造１２により防護されて、外的作用による劣化や損傷が防止されることになる。すなわち、この遮水シート１１は、風雨や太陽光による紫外線等に直接晒されることがなく、烏や投棄される廃棄物等との直接の接触も回避されるとともに、厚層基材１５中に埋設されていることにより、外気や太陽光の熱による温度差の影響が抑制されてその伸びや縮みも少なくなる。なお、この緑化構造１２は、投棄された廃棄物３０が処分場１０に堆積されてきて、この廃棄物３０によって遮水シート１１が覆われるようになった後も、廃棄物３０と遮水シート１１との間に介装してこれらの接触を回避する保護層として機能することになる。
　【００２６】
　また、この実施例の緑化構造１２によれば、厚層基材１５により形成された植
生
　【００２７】
　なお、この発明は、上記実施例の実施の態様のものに限定されるものではなく、各請求項に記載された構成の範囲内において、種々の態様を採用することができる。例えば、厚層基材１５等の緑化基材を遮水シート１１の表面に堆積保持する作業は、吹き付け作業に限定されることなく、土羽打ち等によっても行うことができ、また、網状マット１４に延長配設される水分や養分供給用の供給パイブ１６は必ずしも設ける必要はない。
　【００２８】
　また、上記実施例では、廃棄物処分場１０に敷設した遮水シート１１を対象としてこの発明を採用する場合について記載したが、この発明はこれに限定されるものではなく、例えば、ゴルフ場のウォーターハザード、簡易貯水池、溜池などのその他の貯留施設に敷設した遮水シートに対しても、同様に採用することができる。
　【００２９】
　【発明の効果】
　以上詳細に説明したように、この発明の遮水シート表面の緑化構造によれば、斜面部分の遮水シートの表面に熱溶着された、多数の連続線条が不規則な多数のループをなして絡み合うヘチマ構造からなる網状マットと、この網状マットを介して遮水シートの表面に堆積保持される、植物種子を含む緑化機材とからなるので、斜面部分の遮水シートを安定した状態で覆うことにより、外的作用による遮水シートの劣化や損傷を効果的に防止することができるとともに、その表面に、緑化による優れた景観を呈することができる。
【図面の簡単な説明】
　【図１】
　この発明の一実施例にかかる遮水シート表面の緑化構造を採用した埋立型の廃棄物処分場の一例を示す破断略示断面図である。
　【図２】
　この発明の一実施例にかかる遮水シート表面の緑化構造の構成を示す断面図である。
　【図３】
　網状マットを遮水シートに取り付けた状態を抜き出して示す略示断面図である。
　【図４】
　緑化基材を遮水シートの表面に吹き付ける作業の一例を示す説明図である。
　【符号の説明】
１０　廃棄物処分場
１１　遮水シート
１２　遮水シート表面の緑化構造
１３　法面（斜面部分）
１４　網状マット
１５　厚層基材（緑化基材）
１６　供給パイプ
１７　保護材
１８　下地材
３０　廃棄物